(57)【要約】【課題】  中央に浴槽ボックスを、上部に落下ボックスを、下部に保管ボックスを設ける構成にすることにより、セラミックボールを落下させ、打たせ湯のような指圧効果を有すると共に、従来例と同様に砂風呂効果も有する。  また、椅子のみならずベッドを設けることにより、体全体（首から下）に指圧効果及び砂風呂効果を得ることができるセラミックボール指圧風呂を提供する。【解決手段】  人が出入りすると共に、セラミックボールを排出させる排出ダンパー部を設けてなる浴槽ボックスと、該浴槽ボックスの上部に設けたセラミックボールを一定量貯め、必要量落下させる落下ダンパー部を設けてなる落下ボックスと、浴槽ボックス内に落下したセラミックボールを一旦留める保管ボックスと、該保管ボックス内のセラミックボールを上記落下ボックス内に送り込む搬送装置とからなることを特徴とする。【選択図】  図１
2006110295.tif 000002
【特許請求の範囲】
【請求項１】
人が出入りすると共に、セラミックボールを排出させる排出ダンパー部を設けてなる浴槽ボックスと、該浴槽ボックスの上部に設けたセラミックボールを一定量貯め、必要量落下させる落下ダンパー部を設けてなる落下ボックスと、浴槽ボックス内に落下したセラミックボールを一旦留める保管ボックスと、該保管ボックス内のセラミックボールを上記落下ボックス内に送り込む搬送装置とからなることを特徴とするセラミックボール指圧風呂。
【請求項２】
浴槽ボックス内に、人が座る椅子あるいはベッドを設けてなることを特徴とする請求項１記載のセラミックボール指圧風呂。
【請求項３】
浴槽ボックス内に、身体を洗浄するための身体洗浄装置を設けてなることを特徴とする請求項１又は２記載のセラミックボール指圧風呂。
【請求項４】
浴槽ボックス内に、音楽を流すためのスピーカー部を設けてなることを特徴とする請求項１、２又は３記載のセラミックボール指圧風呂。
【請求項５】
落下ボックス内に、セラミックボールを殺菌する殺菌具を設けてなることを特徴とする請求項１、２、３又は４記載のセラミックボール指圧風呂。
【請求項６】
落下ボックス内に、セラミックボールを温めるための加熱保温具を設けてなることを特徴とする請求項１、２、３、４又は５記載のセラミックボール指圧風呂。
【請求項７】
保管ボックス内に、セラミックボールを洗浄するためのボール洗浄具を設けてなることを特徴とする請求項１、２、３、４、５又は６記載のセラミックボール指圧風呂。
【請求項８】
浴槽ボックス内に、落下するセラミックボールの落下方向を必要に応じて変更できる変更板を設けてなることを特徴とする請求項１、２、３、４、５、６又は７記載のセラミックボール指圧風呂。
【請求項９】
少なくとも浴槽ボックス内にバイブレーターを設けてなることを特徴とする請求項１、２、３、４、５、６、７又は８記載のセラミックボール指圧風呂。
【請求項１０】
泥パック等の液体を噴霧する噴霧器と、入浴者の体をブラッシングする上下動するローラーブラシとからなる身体洗浄機を浴槽ボックス内に設けてなることを特徴とする請求項１、２、３、４、５、６、７、８又は９記載のセラミックボール指圧風呂。
【請求項１１】
芳香器を設けてなることを特徴とする請求項１、２、３、４、５、６、７、８、９又は１０記載のセラミックボール指圧風呂。
【請求項１２】
酸素吸入器及び／または乾燥器を設けてなることを特徴とする請求項１、２、３、４、５、６、７、８、９、１０又は１１記載のセラミックボール指圧風呂。
【請求項１３】
椅子あるいはベッドにヒーターあるいは座浴器を設けてなることを特徴とする請求項２、３、４、５、６、７、８、９、１０、１１又は１２記載のセラミックボール指圧風呂。
【発明の詳細な説明】
【技術分野】
【０００１】  本発明は、入浴者が砂風呂と同様な入浴効果を得られると共に、セラミックボールを落下させることにより打たせ湯と同等以上の効果が得られるセラミックボール指圧風呂に関するものである。
【背景技術】
【０００２】  従来の技術としては、セラミックス粒が投入される浴槽と、浴槽の底部にセラミックス粒が通過可能な床板機構を介して設けられたセラミックス粒受けタンクと、セラミックス粒受けタンク内のセラミックス粒を吸引して前記浴槽に戻すセラミックス粒循環機構と、浴槽内のセラミックス粒を温水により加温する温水シャワー機構とを備えたセラミックス風呂がある。（特許文献１参照）
【特許文献１】  特開２００１−３５３２０１号公報
【発明の開示】
【発明が解決しようとする課題】
【０００３】  上記従来の技術の実施例として、浴槽の底部に開閉自在の簀子板を介してセラミックス粒受けタンクを設ける。セラミックス粒受けタンク内のセラミックス粒を、セラミックス粒搬送パイプを介してセラミックス粒循環装置で吸引し、吸引したセラミックス粒を、還流水パイプを介して浴槽に戻す。浴槽内のセラミックス粒を温水により加温するものである。
また、効果として、入浴者が加温されたセラミックス粒で身体が覆われた状態で入浴できるようにしているので、加温されたセラミックス粒が砂風呂の砂と同様に機能するとともに、温水シャワー機構からの温水で、温泉と同様の温浴機能が得られ、しかも汗が温水で流されるので、快適な入浴環境が得られる。このため、砂風呂と同等以上の入浴効果を得ることができると述べている。【０００４】  しかしながら、上記の構造では砂風呂における温浴効果を得ることはできるが、本発明のような上部からセラミックボールが落下する形態ではないため、肩や腰等に直接セラミックボールを当てて行う指圧効果を見出すことはできない。【０００５】  本発明は、上記のような問題点に鑑みなされたもので、中央に浴槽ボックスを、上部に落下ボックスを、下部に保管ボックスを設ける構成にすることにより、セラミックボールを落下させ、打たせ湯のような指圧効果を有すると共に、従来例と同様に砂風呂効果も有する。
また、椅子のみならずベッドを設けることにより、体全体（首から下）に指圧効果及び砂風呂効果を得ることができるセラミックボール指圧風呂を提供することを目的とする。
【課題を解決するための手段】
【０００６】  本発明は上記目的を達成するために、人が出入りすると共に、セラミックボールを排出させる排出ダンパー部を設けてなる浴槽ボックスと、該浴槽ボックスの上部に設けたセラミックボールを一定量貯め、必要量落下させる落下ダンパー部を設けてなる落下ボックスと、浴槽ボックス内に落下したセラミックボールを一旦留める保管ボックスと、該保管ボックス内のセラミックボールを上記落下ボックス内に送り込む搬送装置とからなること。浴槽ボックス内に、人が座る椅子あるいはベッドを設けてなること。浴槽ボックス内に、身体を洗浄するための身体洗浄装置を設けてなること。浴槽ボックス内に、音楽を流すためのスピーカー部を設けてなること。落下ボックス内に、セラミックボールを殺菌する殺菌具を設けてなること。落下ボックス内に、セラミックボールを温めるための加熱保温具を設けてなること。保管ボックス内に、セラミックボールを洗浄するためのボール洗浄具を設けてなること。浴槽ボックス内に、落下するセラミックボールの落下方向を必要に応じて変更できる変更板を設けてなること。少なくとも浴槽ボックス内にバイブレーターを設けてなること。泥パック等の液体を噴霧する噴霧器と、入浴者の体をブラッシングする上下動するローラーブラシとからなる身体洗浄機を浴槽ボックス内に設けてなること。芳香器を設けてなること。酸素吸入器及び／または乾燥器を設けてなること。椅子あるいはベッドにヒーターあるいは座浴器を設けてなることを特徴とする。
【発明の効果】
【０００７】１）、中央に浴槽ボックスを、上部に落下ボックスを、下部に保管ボックスを設ける構成とすることにより、落下ボックス内のセラミックボールを適宜落下させ、打たせ湯のような指圧効果を有する。
２）、浴槽内に椅子（リクライニング）あるいはベッドを設けることにより、肩や腰のみならず体全体を落下するセラミックボールにて指圧できると共に、落下後、体を反転させることにより、より一層指圧効果や温浴（熱）効果を有する。
３）、身体洗浄装置を設けることにより、身体を清潔にした後にセラミックボールを落下させるか、セラミックボールを落下させ、指圧した後に清潔に処理することもできる。
４）、スピーカー部を設けることにより、リラクゼーション音楽を流し、癒しの空間で温浴効果等を得ることができる。
５）、殺菌具を設けることにより、セラミックボールを常に清潔に保持することができ、安全・安心して使用できる。
６）、加熱保温具を設けることにより、セラミックボールを夏なら低温に、冬なら高い温度に温めることができ、好みにも対応できる。
７）、ボール洗浄具を設けることにより、汚れを洗い流し、付着物を排除することができる。
８）、身体洗浄機を設けることにより、体の不自由な方や老人に有効で、体の前面や後面を手を使用することなく洗浄（マッサージ）することができる。
９）、芳香器を設けることにより、アロマテラピー効果によりリラックスした状態で入浴できる。
１０）、酸素吸入器を設けることにより、ストレス状態の方や酸素吸入が必要な方に有効であり、乾燥器にて身体を短時間に乾かすことができる。
１１）、椅子あるいはベッドにヒーターあるいは座浴器を設けることにより、体を下半身から温め、血流量を増すことにより、自然治癒力を増大させる。
【発明を実施するための最良の形態】
【０００８】  以下、本発明の実施の形態を図面に基づいて説明する。
セラミックボール指圧風呂１は、中央に設けた浴槽ボックス２と、上部に設けた落下ボックス３と、下部に設けた保管ボックス４と、背面に設けた搬送装置５とから構成される。【０００９】  上記浴槽ボックス２は、前面に人（入浴者）が出入りする扉２ａを設け、内部背面正面に向って両側にスピーカー部２ｂ１（防水タイプ）を設けた椅子２ｂを載置すると共に、底面２ｃを斜状に形成し、低部に後述するセラミックボールを排出（下方に落下）する排出ダンパー部２ｄを設け、天井に身体を洗浄すべく洗剤や温水シャワーを噴出する身体洗浄装置２ｅを設けてなる。【００１０】  上記落下ボックス３は、天井両側に搬送装置５により搬送されるセラミックボールを投入するための投入口３ａを設けると共に、セラミックボールを一定量貯め、必要量落下させる落下ダンパー３ｂ（開閉量はモーター等の駆動機により必要に応じて制御するものである）を底面両側に設けてなる。
また、上記天井の中央側２箇所にセラミックボールを殺菌する紫外線による殺菌具３ｃを設けると共に、中央付近に温風を放出し、セラミックボールを温め乾燥させる温風乾燥による加熱保温具３ｄを設けてある。【００１１】  上記保管ボックス４は、低部両側に排出口４ａを設けた上記浴槽ボックス２内に落下したセラミックボールを一旦留めるもので、上記排出ダンパー部２ｄから落下するセラミックボールを排出口４ａに流入させるべく、メッシュ山形斜状の案内板４ｂを設けると共に、底面に排水口４ｃを設けてある。
また、上記底面２ｃの下面２箇所に温水等によるボール洗浄具４ｄを設けてある。【００１２】  上記搬送装置５は、上記排出口４ａ流入するセラミックボールを上記投入口３ａに搬送するもので、上下に少なくともどちらか一方が回動自在なローラー５ａ・５ａを設け、該ローラー５ａ・５ａ間に所要間隔にセラミックボールを抄う可倒自在なバケット５ｂ１を設けたベルト５ｂを設け、上部にバケット５ｂ１を下方に傾け内部のセラミックボールを上記落下ボックス３内に搬入すべく落下板５ｃを設けてある。【００１３】  セラミックボール指圧風呂１の使用例を下記に述べる。
使用例としては、色々なパターンが考えられるが一例として、入浴者Ｎは、まず浴槽ボックス２の扉２ａを開け、内部に入り、椅子２ｂに座る。
その後、必要に応じてスピーカー部２ｂ１から音楽を流し、身体洗浄装置２ｅから洗剤を放出し身体の汚れを落とし、温水にて洗い流し、まず身体を清潔にする。（この時、排出ダンパー部２ｄをわずか開いている。）
つぎに、落下ボックス３内のセラミックボールＢを落下ダンパー３ｂを下げ、必要量のセラミックボールＢ１を落下させ、浴槽ボックス２内に入浴者Ｎの周囲を埋めながら例えば首下まで投入する。
所要時間留めた後（この間に砂風呂と同様な温浴効果を得る）、排出ダンパー部２ｄを全開させ、保管ボックス４内にセラミックボールＢ１を落下させる。
この時、案内板４ｂに沿って下方に移動し、ボール洗浄具４ｄを作動させ、常時セラミックボールＢ１を洗浄し、排液は排水口４ｃより外へ排出する。
一定時間経過後、搬送装置５のローラー５ａを作動させ、ベルト５ｂを上方に移動させることによりバケット５ｂ１−−−にてセラミックボールＢ２を抄い上げ、上端部の落下板５ｃにてバケット５ｂ１を下方に傾け、中のセラミックボールＢ３を投入口３ａから落下ボックス３内に投入する。
同時に、殺菌具３ｃ及び加熱保温具３ｄを作動させ、セラミックボールＢ３を殺菌及び加熱し、次回の使用として準備する。【００１４】  つぎに、他の実施例を説明する。
セラミックボール指圧風呂２１は、浴槽ボックス２２の内部背面に側面に向って倒すことのできるリクライニング式の椅子２２ｂ（ベッドにもなる）を設けてなるもので、例えばベッド状にして、一方の落下ダンパーを開き足元からセラミックボールを投入し、徐々に頭の方へ持っていく。
最終的に首より上のみ出し、砂風呂状態で温浴効果を得ることができると共に、寝返りを打つことにより、体全体を指圧できる。【００１５】  セラミックボール指圧風呂３１は、浴槽ボックス３２内部両側面に落下するセラミックボールＢ４の落下方向を必要に応じて変更できる変更板６を設けてある。
例えば、椅子に座って使用する場合で、肩にセラミックボールＢ４を当てる時は、ほぼ水平に変更板６を位置させ、椅子を水平（ベッド状）にして使用する場合は、変更板６をやや下方斜状に形成することにより、腰や背中等、自由（好み）に設定できる。【００１６】  セラミックボール指圧風呂４１は、浴槽ボックス４２内の後コーナー部Ｋに、泥パック等の液体ａを噴霧するレール７ａ１上を上下動する噴霧器７ａと、入浴者の体をブラッシングするレール７ｂ１・７ｂ１上を上下動する回転自在なロールブラシ７ｂとからなる身体洗浄機７を設けてなるもので、入浴者の好みに合わせた液体ａを噴霧器７ａより噴霧しながら入浴者に付着させた後、ロールブラシ７ｂにて体全体をブラッシング（肌を刺激し、血行をよくする）するものである。
なお、上下動は手動でもよく、モーター等の駆動具を使用してもよい。【００１７】  セラミックボール指圧風呂５１は、浴槽ボックス５２内の背面に芳香器８を設けると共に、同じく背面に蛇腹状の出し入れ自在な酸素吸入器９を設け、両側面に冷風あるいは温風等の身体を乾かすための乾燥器１０を設けてある。
また、椅子５２ｂの座部５２ｂ１にヒーター１１を埋設し、お尻から温め血行をよくする。
さらに、必要に応じて座部５２ｂ１の中央に孔を設け、そこに容器内に入れた薬草等を加熱する座浴器を設けてもよい。【００１８】  また、浴槽ボックス内の椅子にバイブレーターを設け、マッサージ効果を付加するのも一考である。
さらに、落下ボックスや保管ボックスにバイブレーターを設け、セラミックボールの流れを良くするのも一考である。【００１９】  上記各実施例において、浴槽ボックスや落下ボックス、保管ボックスの形状や大きさ、材質等、特に限定するものではない。
搬送装置は、同様に搬送できる機構であれば、特に限定するものではない。
また、身体洗浄装置、殺菌具、加熱保温具、ボール洗浄具等も、同様な機能を有するものであれば、他の形態のものでもよい。
さらに、セラミックボールに殺菌力のある銀をコーティングしたものを使用してもよい。
さらにまた、椅子を折り畳み式にすること、扉の内側あるいは外側に鏡を設けるのも一考である。
【図面の簡単な説明】
【００２０】
【図１】  本発明の第１実施例を示すセラミックボール指圧風呂の一部縦断側面図。
【図２】  本発明の第１実施例を示すセラミックボール指圧風呂の一部縦断正面図。
【図３】  本発明の第１実施例を示すセラミックボール指圧風呂の使用状態の側面図。
【図４】  本発明の第２実施例を示すセラミックボール指圧風呂の要部の正面図。
【図５】  本発明の第３実施例を示すセラミックボール指圧風呂の要部の正面図。
【図６】  本発明の第４実施例を示すセラミックボール指圧風呂の要部の正面図。
【図７】  本発明の第４実施例を示すセラミックボール指圧風呂の要部の平面図。
【図８】  本発明の第５実施例を示すセラミックボール指圧風呂の要部の正面図。
【図９】  本発明の第５実施例を示すセラミックボール指圧風呂の要部の平面図。
【符号の説明】
【００２１】１−−−セラミックボール指圧風呂
２−−−浴槽ボックス
３−−−落下ボックス
４−−−保管ボックス
５−−−搬送装置
６−−−変更板
７−−−身体洗浄機
８−−−芳香器
９−−−酸素吸入器
１０−−乾燥器
１１−−ヒーター
Ｂ−−−セラミックボール
【図１】
2006110295.tif 000003
【図２】
2006110295.tif 000004
【図３】
2006110295.tif 000005
【図４】
2006110295.tif 000006
【図５】
2006110295.tif 000007
【図６】
2006110295.tif 000008
【図７】
2006110295.tif 000009
【図８】
2006110295.tif 000010
【図９】
2006110295.tif 000011